(57)【特許請求の範囲】
【請求項１】
缶口部に巻締固定され且つ飲み口部を備えた板状の金属製蓋体と、該蓋体の飲み口部に嵌め込まれた金属製栓体と、該金属製栓体を飲み口部から除去して飲み口部を開放するための樹脂製開封用タブと、飲み口部に嵌め込まれている金属製栓体を保護するための樹脂製カバーとから成り、
前記金属製蓋体の飲み口部周縁には、少なくとも下方に落ち込んだ突部を有するカール部が形成されており、
前記金属製栓体は、天板部と、該天板部の周縁から下方に延びている周状側壁部と、該周状側壁部の下端から外方に延び且つ先端部分が上方に立ち上がっているシール部と、該シール部により形成されている凹部空間内に充填されているシール材とから成り、
前記金属製栓体の周状側壁部の外面には係止突部が形成されており、前記金属製栓体は、下方から前記飲み口部に嵌め込まれ、この状態でカール部と係止突部とが係合し、該カール部が係止突部とシール材との間に挟持されていると共に、該金属製栓体を押し下げることにより、該金属製栓体が飲み口部から落下し、飲み口部が開放されるように構成されており、
前記樹脂製開封用タブは、飲み口部に嵌め込まれている金属製栓体上に延びている押圧部及び該押圧部に連なる摘み部を有する旋回片と、該旋回片に連結され且つ金属製蓋体上面にリベット止めされている固定片とを有しており、該旋回片は、前記リベットを支点として旋回可能に形成されていると共に、
前記樹脂製保護カバーは、飲み口部に嵌め込まれている金属製栓体上に前記旋回片の押圧部と隣接して配置されたカバー部と、該カバー部の旋回片側の両端部から前記旋回片の押圧部を挟むようにして延びている一対のアーム部とから形成されており、
前記カバー部若しくはアーム部は、破断可能なブリッジにより前記旋回片に取り付けられており、該アーム部の先端は、可撓性の連結バンドにより、前記旋回片の側面に旋回可能に連結されていると共に、該カバー部の旋回片とは反対側端部は、飲み口部に嵌め込まれている金属製栓体を越えて金属製蓋体面上に位置していることを特徴とする缶蓋。
【請求項２】
前記一対のアーム部は、前記ブリッジを破断し、前記連結バンドを支点として樹脂製保護カバーを旋回して反転させたとき、該一対のアーム部の間に前記旋回片の摘み部が納まるような長さを有しており、且つ前記連結バンドは、反転された樹脂製保護カバーをスライドして前記摘み部の下側に挿入し得るように形成されており、摘み部の下側に入り込んだ樹脂製保護カバーを上方に持ち上げることにより、前記旋回片がリベットを支点として旋回し、押圧部によって金属製栓体が押し下げられて飲み口部が開放される請求項１に記載の缶蓋。
【請求項３】
前記旋回片の摘み部は，リング状に形成されている請求項１に記載の缶蓋。
【発明の詳細な説明】
【０００１】
【発明の属する技術分野】
本発明は、缶蓋に関するものであり、特に飲料缶の開口部に設けられ、飲み口部を形成するためのスコアが形成されていない缶蓋に関する。
【０００２】
【従来の技術】
従来、アルミ缶に代表される金属缶は，各種飲料用の缶として広く使用されている。この様な飲料缶の缶蓋は、缶口部に巻締めにより固定されており、所定形状のスコアにより飲み口部が区画されており、スコアで区画されている部分に、金属製のタブがリベット止めされた構造となっているものがほとんどである。
即ち、このタブを手で持ち上げ或いは缶内に押し込むことにより、スコアを破断して飲み口を形成して缶内飲料を喫飲するというものである。
【０００３】
【発明が解決しようとする課題】
しかしながら、上述した従来公知の缶蓋では、スコアを破断して飲み口を形成する場合には、アルミニウム等の金属粉が発生し、この金属粉が缶内に落下して混入するという問題があり、衛生上、あまり望ましいものではない。特に、缶蓋がアルミニウムのような軟質の素材で形成されている場合には、金属粉の発生傾向が大きく、衛生上好ましくない。
またスコアの破断により飲み口を形成する場合には、鋭利な切り口が形成されるため、喫飲時に不快感等を与えるおそれもある。
【０００４】
従って本発明の目的は、スコアを設けることなく飲み口を形成することが可能であり、スコア破断による金属粉の発生や鋭利な切り口の形成が有効に防止された缶蓋を提供することにある。
【０００５】
【課題を解決するための手段】
本発明によれば、缶口部に巻締固定され且つ飲み口部を備えた板状の金属製蓋体と、該蓋体の飲み口部に嵌め込まれた金属製栓体と、該金属製栓体を飲み口部から除去して飲み口部を開放するための樹脂製開封用タブと、飲み口部に嵌め込まれている金属製栓体を保護するための樹脂製カバーとから成り、
前記金属製蓋体の飲み口部周縁には、少なくとも下方に落ち込んだ突部を有するカール部が形成されており、
前記金属製栓体は、天板部と、該天板部の周縁から下方に延びている周状側壁部と、該周状側壁部の下端から外方に延び且つ先端部分が上方に立ち上がっているシール部と、該シール部により形成されている凹部空間内に充填されているシール材とから成り、
前記金属製栓体の周状側壁部の外面には係止突部が形成されており、前記金属製栓体は、下方から前記飲み口部に嵌め込まれ、この状態でカール部と係止突部とが係合し、該カール部が係止突部とシール材との間に挟持されていると共に、該金属製栓体を押し下げることにより、該金属製栓体が飲み口部から落下し、飲み口部が開放されるように構成されており、
前記樹脂製開封用タブは、飲み口部に嵌め込まれている金属製栓体上に延びている押圧部及び該押圧部に連なる摘み部を有する旋回片と、該旋回片に連結され且つ金属製蓋体上面にリベット止めされている固定片とを有しており、該旋回片は、前記リベットを支点として旋回可能に形成されていると共に、
前記樹脂製保護カバーは、飲み口部に嵌め込まれている金属製栓体上に前記旋回片の押圧部と隣接して配置された平板状のカバー部と、該カバー部の旋回片側の両端部から前記旋回片の押圧部を挟むようにして延びている一対のアーム部とから形成されており、
前記カバー部若しくはアーム部は、破断可能なブリッジにより前記旋回片に取り付けられており、該アーム部の先端は、可撓性の連結バンドにより、前記旋回片の側面に旋回可能に連結されていると共に、該カバー部の旋回片とは反対側端部は、飲み口部に嵌め込まれている金属製栓体を越えて金属製蓋体面上に位置していることを特徴とする缶蓋が提供される。
【０００６】
本発明の缶蓋では、金属製栓体が金属製蓋体にあらかじめ形成されている飲み口部に嵌合固定されており、これを押し下げることによって容易に飲み口部を開放し、喫飲を行うことができる。従って、スコアの破断によって飲み口を形成するものではないから、アルミニウム等の金属粉を生じるおそれは全くなく、衛生性の点で極めて優れている。
また金属製蓋体に形成されている飲み口部の周縁にはカール部が形成されており、鋭利な部分は存在しないため、喫飲等に際して一般の使用者に不快感等を与えるおそれも全くない。
【０００７】
また本発明の缶蓋においては、飲み口部に嵌め込まれている金属製栓体を、金属製蓋体上面の飲み口部近傍に旋回可能にリベット止めされている樹脂製開封用タブを利用して下方に押し込み、これにより飲み口部を開放することができる。即ち、この開封用タブの旋回片の摘み部を手で持って上方に持ち上げて旋回片を旋回させ、摘み部とは反対側の押圧部によって金属製栓体を下方に押し込み、これにより、飲み口部に嵌め込まれている金属製栓体は缶内に落下し、飲み口部が開放されて喫飲可能となる。
【０００８】
本発明において、上記の開封用タブの旋回片には、破断可能なブリッジ及び可撓性の連結バンドを介して樹脂製保護カバーが設けられている。即ち、この保護カバーは、飲み口部に嵌め込まれている金属製栓体を覆うように設けられるものであり、外部からの偶発的な押圧力によって金属製栓体が下方に押し下げられることを確実に防止するものである。
上記の保護カバーは、開封用タブの旋回片の押圧部と隣接して配置された平板状のカバー部を有しており、このカバー部の旋回片側の両端部からは、旋回片の押圧部を挟むようにして一対のアーム部が延びている。このアーム部或いはカバー部は破断可能なブリッジを介して上記旋回片の押圧部に取り付けられているが、同時に、アーム部の先端部は可撓性の連結バンドによって旋回片の側面に旋回可能に連結されている。従って、開封用タブを用いての金属製栓体の押し込みによる開封作業は、保護カバーが設けられている状態でそのまま行うことが可能であり、飲み口部が開放された後は、この保護カバーを旋回させれば、保護カバーが飲み口部を遮断することがないので喫飲することができる。
【０００９】
また本発明によれば、上記の保護カバーを利用して、開封用タブによる飲み口部の開封作業（金属製栓体の押し込み）を容易に行うこともできる。この場合、一対のアーム部は、前記連結バンドを支点として樹脂製保護カバーを旋回して反転させたとき、この一対のアーム部の間に前記旋回片の摘み部が納まるような長さを有し、且つ前記連結バンドは、反転された樹脂製保護カバーをスライドして前記摘み部の下側に挿入し得るように形成されているのがよい。このようにすることによって、開封用タブの旋回片の摘み部の下側に入り込んだ樹脂製保護カバーを摘み部と共に上方に持ち上げることにより、前記旋回片がリベットを支点として旋回し、押圧部によって金属製栓体が押し下げられて飲み口部が開放されることになる。このような保護カバーを利用しての開封は、摘み部を可及的に小さくすることができるという利点がある。即ち、このような摘み部を最初から長くしておくと、缶蓋を搬送する際に摘み部が何かに引っ掛かって変形を生じたり或いは栓体を押し込んでシール性が損なわれたりするなどのトラブルを生じやすいが、本発明では、摘み部を小さくできるので、このようなトラブルを有効に防止することができる。また本発明では、保護カバーは、反転されて摘み部の下側に入り込んだ状態となっているため、保護カバーによる飲み口部の遮断を確実に防止することができるという利点もある。
【００１０】
【発明の実施の形態】
本発明を、以下、添付図面に示す具体例に基づいて説明する。
図１は、本発明の缶蓋を缶口部と共に示す側断面図であり、図２は、その平面図、図３は、図１の缶蓋の樹脂製開封用タブと樹脂製保護カバーとの構造を示す図であり、図４及び図５は、図１の缶蓋の樹脂製保護カバーを完全に反転させた状態を示す平面図及び側断面図、図６及び７は、図１の缶蓋の樹脂製保護カバーを完全に反転させ且つスライドさせて旋回片の摘み部の下側に入り込ませた状態を示す平面図及び側断面図、図８は、図１の缶蓋において、樹脂製保護カバーを利用しての樹脂製開封用タブの持ち上げによる金属製栓体の押し下げを行っている状態を示す側断面図である。
【００１１】
図１及び２において、この缶蓋は、金属製蓋体１、金属製栓体２、樹脂製開封用タブ２０及び樹脂製保護カバー３０とから構成されている。
【００１２】
金属製蓋体１は、金属缶５０の開口部に巻締め固定されており、さらに周縁部に近い部分に形成された飲み口部を備えており、この飲み口部の周縁部には、図示されているように、カール加工によってカール部６が形成されている。また、このカール部６には、後述する金属製栓体２のシール部によるシールが有効に行われるように、下方に落ち込んだ部分６ａが形成されている。
【００１３】
金属製栓体２は、天板部１０と、天板部１０の周縁から下方に延びている周状側壁部１１と、周状側壁部１１の下端から外方に延び且つ先端部分が上方に立ち上がっているシール部１２とを備えている。このシール部１２によって形成されている凹部空間内には、それ自体公知のシーリングコンパウンド、例えばオリフィン系樹脂エラストマーやスチレン−ブタジエンゴム、シリコンゴムなどを主成分とするコンパウンドから成るシール材１３が充填されている。
また上記の周状側壁部１１の外面には、複数個の係止突部１５が形成されている（図１及び２では、４個の係止突部１５が示されている）。
【００１４】
図１から明らかな通り、上記の金属製栓体２は、金属製蓋体１の飲み口部に下方から嵌め込まれている。また、金属製栓体２が嵌合している状態では、蓋体１のカール部６の下方に落ち込んだ部分６ａは、金属製栓体２のシール部１２によって形成されている凹部空間内に入り込み、その内部に充填されているシール材１３と密着し、またカール部６の上端部分は、金属製栓体２の周状側壁部１１の外面に形成されている係止突部１５と係合している。即ち、カール部６は、シール部１２と係止突部１５との間に挟持され、これにより、金属製栓体２は、飲み口部にしっかりと保持固定され、飲み口部は有効にシールされる。
【００１５】
かかる本発明において、上述した金属製栓体２は、下方に押し込むことにより飲み口部から落下して飲み口部が開放されるが、この作業を容易に行うために、金属製蓋体１の上面には、樹脂製開封用タブ２０が設けられており、この開封用タブ２０には、樹脂製保護カバー３０が取り付けられている。
【００１６】
上記の開封用タブ２０と保護カバー３０との結合体を示す図３において、図３中、（Ａ）は平面図、（Ｂ）は側面図、（Ｃ）は平面図（Ａ）におけるＡ−Ａ断面を示す図、及び（Ｄ）は平面図（Ａ）における右側面を拡大して示す図である。
かかる図３を参照して、この開封用タブ２０は、旋回片２１と固定片２２とから構成されている。
【００１７】
旋回片２１は、飲み口部に嵌め込まれている金属製栓体２上に延びている押圧部２１ａと、押圧部２１ａに連なるリング状の摘み部２１ｂとから形成されており、固定片２２は、リベット２３により金属製蓋体１の上面で飲み口部近傍に固定され且つ押圧部２１ａに連なっている。従って、この開封用タブ２０の旋回片２１は、リベット２３を支点として旋回可能となっている。（尚、図３中、２３ａで示される部分は、リベット２３が通るホールを示している。）
即ち、この旋回片２１を旋回させて押圧部２１ａにより金属製栓体２を押し込んで飲み口部を開放させる。このため、図１や図３（Ｃ）に示されている様に、金属製栓体２に強く当たる押圧部２１ａの先端部には肉厚部２１ｃが形成されているのが好ましい。また、図３（Ａ），（Ｃ）に明示されているように、固定片２２と旋回片２１との連結部分には、薄肉部２２ａを形成しておくことが好ましく、これにより、リベット２３を支点としての旋回片２１の旋回を容易に行うことができる。
【００１８】
一方、樹脂製保護カバー３０は、開封用タブ２０の旋回片２１の押圧部２０ａに隣接して配置され、飲み口部に嵌め込まれている金属製栓体２上に配置されている平板状のカバー部３１を有しており、このカバー部３１の旋回片２１側の両端部からは、旋回片２１の押圧部２１ａを挟むようにして一対のアーム部３２が延びている。
このカバー部３１及びアーム部３２は、破断可能なブリッジ３３を介して旋回片２１の押圧部２１ａの側面に接続されており、さらにアーム部３２の先端は、可撓性の連結バンド３４により旋回片２１の側面に旋回可能に連結されており、これにより、カバー部３１が、飲み口部に嵌め込まれている金属製栓体２上に位置固定された状態で保持されている。尚、カバー部３１が金属製栓体２上に安定に位置決めされる限り、カバー部３１と押圧部２１ａとの間のみにブリッジ３３が設けられていてもよいし、アーム部３２と押圧部２１ａとの間のみにブリッジ３３が設けられていてもよく、ブリッジ３３の個数は特に制限されない。
またカバー部３１の先端部（旋回片２１とは反対側端部）３１ａは、図１に示されているように、金属製栓体２を越えて金属製蓋体１上にまで延びており、この先端部３１ａの近傍には、足部３１ｂが形成されており、この足部３１ｂは、金属製蓋体１のカール部６の上端に当接乃至近接している。即ち、外部から偶発的に押圧力が加わった時、この保護カバー３０により金属製栓体２が押圧されることが防止され、金属製栓体２の偶発的な落下を有効に防止することができる。
【００１９】
上述した缶蓋において、金属製栓体２を下方に押し込んで飲み口部を開放するためには、先ず樹脂製保護カバー３０の先端部３１ａを指等で引っ掛けて持ち上げ、ブリッジ３３を破断し、アーム部３２と開封用タブ２０の旋回片２１とを繋ぐ可撓性連結バンド３４を支点として保護カバー３０を反転させる。この反転した状態を示す図４及び５を参照して、前記アーム部３２の長さは、反転させた状態でのアーム部３２の間に旋回片２１のリング状の摘み部２１ｂが納まるに十分な長さに設定されている。これにより、保護カバー３０を完全に反転させることが可能となり、反転された保護カバー３０は、開封用タブ２０の摘み部２１ｂよりも下側に位置させることができる。
【００２０】
また上述したアーム部３２と旋回片２１の側面とを繋ぐ可撓性連結バンド３４は、特に図３（Ｄ）に示されているように、反転前のアーム部３２の上端部分と旋回片２１の側面の下端部分とを繋ぐように設計されている。このようにして連結バンド３４にある程度の長さを確保することにより、図４の平面図及び図５の側断面図に示されているように、反転された保護カバー３０を摘み部２１ｂの下側に容易に位置させることができ、同時に、反転された保護カバー３０は、旋回片２１に対してある程度スライド可能となる。
【００２１】
上記のようにして反転され且つ摘み部２１ｂよりも下側に配置された保護カバー３０は、これを旋回片２１側にスライドさせる。これにより、図６の平面図及び図７の側断面図に示されているように、反転された保護カバー３０のカバー部３１の一部は摘み部２１と金属製蓋体１との間に挿入された状態となる。
従って、この状態で、反転された保護カバー３０を手で持って持ち上げることにより、摘み部２１ｂが持ち上がり、図８の側断面図に示されている様に、旋回片２１を容易に旋回させることができ、この旋回により、旋回片２１の押圧部２１ａ（特に肉厚部２１ｃ）が金属製栓体２を押し込み、金属製蓋体１の飲み口部が開放される。
【００２２】
上述した本発明において、樹脂製保護カバー３０のカバー部３１には、特に必要ではないが、コストダウン等のために、切欠き部４０を設けておくことが好ましい。また、カバー部３１の旋回片２１側の端部には、これを反転させて開封操作を行う時に、旋回片２１の摘み部２１ｂに係止する肉厚部４１を形成しておくことが好ましい。この係止により、開封操作を行う時に、カバー部３１と摘み部２１ｂとが一体に固定されるため、開封操作を容易に行うことができる。
また、金属製栓体２に設けられている係止突部１５の突出量や個数は適度なものとすることが必要である。この係止突部１５は，金属製蓋体１のカール部６と係合して金属製栓体２を飲み口部にしっかりと固定するためのものであるから、その突出量や個数を必要以上に大きくすると、金属製栓体２を飲み口部から下方に落とすことが困難となってしまうからである。
【００２３】
また、この缶蓋では、樹脂製カバー３０を金属製蓋体１に係止させるために、図１等に示されている様に、カール部６が全体として金属製蓋体１の面よりも下方に位置するように形成されていることが好ましい。
【００２４】
上述した本発明の缶蓋を製造するには、例えば所定の金属素材を用いて打ち抜き加工やカール加工等によって、所定形状の金属製蓋体１と金属製栓体２とを作製する。さらに所定のプラスチックの射出成形等により、開封用タブと保護カバーとの組立体を製造し、この組立体を金属製蓋体１にリベット止めする。次いで、金属製栓体２のシール部にシール材を充填した後、この栓体２を金属製蓋体１の飲み口部に嵌め込み、次いで適当な工具を金属製栓体２の内部に挿入し、内側からの押圧等により、係止突部１５を形成する。次いで、飲料缶の開口部に金属製蓋体１を巻締め固定することによって本発明の缶蓋を実用に供することができる。このような方法によって、缶内部のシール性を高く保持することができるが、勿論、予め、金属製栓体２に係止突部１５を形成しておき、この金属製栓体２を金属製蓋体１の飲み口部に嵌め込むこともできる。
【００２５】
この缶蓋において、金属製蓋体１や金属製栓体２を形成する金属素材としては、表面未処理鋼（ブラックプレート）や表面処理鋼、アルミニウム等の軽金属が好適に使用される。表面処理鋼としては、鋼基質上に、リン酸処理、クロム酸処理等の化学処理、電解クロム酸処理等の化成処理、電解スズメッキ、電解亜鉛メッキ、電解クロムメッキ等の電解メッキ処理、溶融アルミニウム処理、溶融スズメッキ処理等の溶融メッキ処理を行ったものが挙げられる。これらの内でも、特にアルミニウムやアルミニウム合金が好適である。また金属製蓋体１の内面は、適当な保護塗料で塗装したり、適当な樹脂フィルムをラミネートするのがよい。
【００２６】
また樹脂製開封用タブ２０や樹脂製保護カバー３０を形成する素材としては、例えばポリエチレン、ポリプロピレン、プロピレン−エチレン共重合体、プロピレン−ブテン１共重合体等のオレフィン樹脂、アクリロニトリル−スチレン−ブタジエン（ＡＢＳ）樹脂、耐衝撃性スチレン樹脂、アクリル樹脂、ナイロン樹脂等の各種プラスチックが使用され、特に硬質のものが好適に使用される。
【００２７】
【発明の効果】
本発明の缶蓋では、金属製蓋体に予め飲み口が形成されており、飲み口を形成するためにスコアの破断は行われない。従って、スコア破断による金属粉の発生が全くなく、極めて衛生的である。
また、予め形成されている飲み口の周縁部にはカール部が形成されているため、鋭利な金属端部が形成されておらず、使用者に不快感等を与えるおそれも全くない。
さらに、予め形成されている飲み口には、金属製栓体が嵌合固定されており、この栓体を押し込むことにより、飲み口を容易に開放することができる。
また樹脂製保護カバーによって金属製栓体の偶発的な落下による飲み口部の開放が確実に防止されると共に、この保護カバーを利用して開封用タブによる金属製栓体の押し込み（飲み口部の開放）作業を容易に行うこともできる。
本発明の缶蓋は、特にコーラ等の炭酸飲料が充填されたアルミ製飲料缶の缶蓋として極めて有用である。
【図面の簡単な説明】
【図１】本発明の缶蓋を缶口部と共に示す側断面図。
【図２】図１の缶蓋の平面図。
【図３】図１の缶蓋の樹脂製開封用タブと樹脂製保護カバーとの構造を示す図。
【図４】図１の缶蓋の樹脂製保護カバーを完全に反転させた状態を示す平面図。
【図５】図１の缶蓋の樹脂製保護カバーを完全に反転させた状態を示す側断面図。
【図６】図１の缶蓋の樹脂製保護カバーを完全に反転させ且つスライドさせて旋回片の摘み部の下側に入り込ませた状態を示す平面図。
【図７】図１の缶蓋の樹脂製保護カバーを完全に反転させ且つスライドさせて旋回片の摘み部の下側に入り込ませた状態を示す側断面図。
【図８】図１の缶蓋において、樹脂製保護カバーを利用しての樹脂製開封用タブの持ち上げによる金属製栓体の押し下げを行っている状態を示す側断面図。
【符号の説明】
１…金属製蓋体          ２…金属製栓体
３…樹脂製開封用タブ    ４…樹脂製保護カバー
６…カール部          １０…天板部
１１…周状側壁部        １２…シール部
１３…シール材          １５…係止突部
２０…開封用タブ        ２１…旋回片
２２…固定片            ２３…リベット
３０…樹脂製カバー      ３１…カバー部
３２…アーム部          ３３…破断可能なブリッジ
３４…可撓性連結バンド
【図１】
0004095169.tif 000002
【図２】
0004095169.tif 000003
【図３】
0004095169.tif 000004
【図４】
0004095169.tif 000005
【図５】
0004095169.tif 000006
【図６】
0004095169.tif 000007
【図７】
0004095169.tif 000008
【図８】
0004095169.tif 000009